(57)【要約】【課題】手形と小切手とが混在して証券収納部内に収められている状態でも、特別な作業を強要することなく、手形に関する処理と同様、小切手にも一連番号などの証券識別情報を印字することができると共に、この証券識別情報をキーとして小切手に関する証券情報を管理できるようにする。【解決手段】証券処理装置は、手形と小切手とが混在して収納されているホッパー部２から証券が取り出された際、証券の形状特性に応じて当該証券は手形か小切手かを判別し、手形であれば、一連番号を生成すると共にＭＩＣＲプリンタ部１２を使用して手形のＭＩＣＲ文字印字欄の空白部分に一連番号をＭＩＣＲ文字にて印字するほか、この一連番号を証券情報検索用のキー情報として手形の証券情報に対応付けて記憶管理し、小切手であれば、一連番号を生成すると共に券面プリンタ部１３を使用して小切手のＭＩＣＲ文字印字欄以外の券面空白部分に一連番号を印字するほかに、この一連番号を証券情報検索用のキー情報として小切手の証券情報に対応付けて記憶管理する。【選択図】  図２
2006031298.tif 000002
【特許請求の範囲】
【請求項１】
証券収納部から取り出された証券の種類に応じて手形処理あるいは小切手処理を選択的に実行する証券処理装置であって、
手形と小切手とが混在して収納されている証券収納部から証券が取り出された際に、その証券の特性に応じて当該証券は手形か小切手かを判別する判別手段と、
この判別手段によって手形であることが判別された場合に、証券識別情報を生成すると共に、手形の磁気文字印字欄の空白部分に証券識別情報を磁気文字にて印字するほかに、この証券識別情報を証券情報検索用のキー情報として当該手形の証券情報に対応付けて記憶管理する手形処理手段と、
前記判別手段によって小切手であることが判別された場合に、証券識別情報を生成すると共に、小切手の磁気文字印字欄以外の券面空白部分に証券識別情報を印字するほかに、この証券識別情報を証券情報検索用のキー情報として当該小切手の証券情報に対応付けて記憶管理する小切手処理手段と、
を具備したことを特徴とする証券処理装置。
【請求項２】
前記証券収納部から取り出された証券が搬送される過程において、証券の到来を検出してから証券の通過を検出するまでの時間を計時する計時手段と、
証券の到来を検出してから証券の通過を検出するまでの間に証券搬送用の駆動モータに印加された駆動パルス数を計数する駆動パルス計数手段と、
を設け、前記判別手段は、前記計測時間が予め決められている制限時間に達していないことを条件に、前記モータに印加された駆動パルスの計数値を証券の長さとして特定し、この証券の長さに基づいて手形か小切手かを判別する、
ようにしたことを特徴とする請求項1記載の証券処理装置。
【請求項３】
前記証券収納部から取り出された証券が搬送される過程において、証券の形状イメージを読み取るイメージ読取手段を設け、
前記判別手段は、前記イメージ読取手段によって読み取られた証券イメージの全体形状を解析することで当該証券の形状特性を特定し、この特定形状に基づいて手形か小切手かを判別する、
ようにしたことを特徴とする請求項１記載の証券処理装置。
【請求項４】
前記証券識別情報は、証券、手形に共通する一連番号であり、前記手形処理手段、小切手処理手段は、証券識別情報を生成する際に、一連番号を更新することによって証券識別情報を自動生成する、
ようにしたことを特徴とする請求項１記載の証券処理装置。
【請求項５】
前記証券収納部から取り出された証券が搬送される過程において、手形、小切手の全体イメージを読み取るイメージ読取手段を設け、
前記手形処理手段は、前記判別手段によって手形であることが判別された場合に、前記証券識別情報を磁気文字印字欄の空白部分に印字するほかに、前記イメージ読取手段によって読み取られた手形の全体イメージを当該証券識別情報に対応付けて記憶管理し、
前記小切手処理手段は、前記判別手段によって小切手であることが判別された場合に、前記証券識別情報を磁気文字印字欄以外の券面空白部分に印字するほかに、前記イメージ読取手段によって読み取られた小切手の全体イメージを当該証券識別情報に対応付けて記憶管理する、
ようにしたことを特徴とする請求項１記載の証券処理装置。
【請求項６】
前記証券収納部から取り出された証券が搬送される過程において、手形、小切手の磁気文字印字欄から磁気文字情報を読み取る磁気文字情報読取手段を設け、
前記手形処理手段は、前記判別手段によって手形であることが判別された場合に、前記証券識別情報を磁気文字印字欄の空白部分に印字するほかに、前記磁気文字情報読取手段によって読み取られた磁気文字情報を当該証券識別情報に対応付けて記憶管理し、
前記小切手処理手段は、前記判別手段によって小切手であることが判別された場合に、前記証券識別情報を磁気文字印字欄以外の券面空白部分に印字するほかに、磁気文字情報読取手段によって読み取られた磁気文字情報を当該証券識別情報に対応付けて記憶管理する、
ようにしたことを特徴とする請求項５記載の証券処理装置。
【請求項７】
証券に記入されている金額、支払期日の各要件のうち、少なくとも、金額データが入力された際に、この入力要件データを前記証券識別情報に対応付けて記憶管理する、
ようにしたことを特徴とする請求項１記載の証券処理装置。
【請求項８】
証券の磁気文字印字欄に記録されているデータ以外の要件データを証券の券面に印字する際に、前記判別手段によって手形であることが判別された場合に、磁気文字印字欄から証券識別情報を光学的に読み取って認識すると共に、この証券識別情報に対応付けて記憶管理されている入力要件データを読み出し、この入力要件データを磁気文字印字欄の空白部分に磁気文字にて印字し、前記判別手段によって小切手であることが判別された場合に、小切手の券面に印字されている証券識別情報を光学的に読み取って認識すると共に、この証券識別情報に対応付けて記憶管理されている入力要件としての金額データを読み出し、この金額データを磁気文字印字欄の空白部分に磁気文字にて印字する、
ようにしたことを特徴とする請求項７記載の証券処理装置。
【請求項９】
証券識別情報を光学的に読み取るための光源として、赤外線光源、白色光源の何れかを点灯駆動させるかを切り換える光源切換手段を設け、
この光源切換手段は、小切手の券面に印字されている証券識別情報を読み取る際に、予め設定されている使用光源設定情報に基づいて白色光源を点灯駆動させるか、赤外線光源を点灯駆動させるかの切り換えを制御する、
ようにしたことを特徴とする請求項８記載の証券処理装置。
【請求項１０】
前記小切手処理手段は、予め小切手の券面に証券識別情報を印字させるか否かが任意に設定されていると共に、証券識別情報の印字領域を示す座標値が任意に設定されている印字設定データを参照し、証券識別情報を印字すべきことが設定されている場合には、前記印字設定データから証券識別情報の印字領域を示す座標値を読み出し、この座標値で示される印字領域内に証券識別情報を印字する、
ようにしたことを特徴とする請求項１記載の証券処理装置。
【請求項１１】
コンピュータに対して、
手形と小切手とが混在して収納されている証券収納部から証券が取り出された際に、その証券の特性に応じて当該証券は手形か小切手かを判別する機能と、
手形であることが判別された場合に、証券識別情報を生成すると共に、手形の磁気文字印字欄の空白部分に証券識別情報を磁気文字にて印字するほかに、この証券識別情報を証券情報検索用のキー情報として当該手形の証券情報に対応付けて記憶管理する機能と、
小切手であることが判別された場合に、証券識別情報を生成すると共に、小切手の磁気文字印字欄以外の券面空白部分に証券識別情報を印字するほかに、この証券識別情報を証券情報検索用のキー情報として当該小切手の証券情報に対応付けて記憶管理する機能と、
を実現させるためのプログラム。
【発明の詳細な説明】
【技術分野】
【０００１】
この発明は、証券収納部から取り出された証券の種類に応じて手形処理あるいは小切手処理を選択的に実行する証券処理装置およびプログラムに関する。
【背景技術】
【０００２】
従来、手形を処理する証券処理装置としては、たとえば、全ての手形証券類を統一して取り扱い、手形証券類の仕訳処理を効率良く行うようにするために、手形から読み取った磁気文字、たとえば、ＭＩＣＲ（Magnetic Ink Character Recognition：磁気文字認識）用の文字データ、手形から読み取った表面イメージ、この表面イメージを文字認識した文字認識データおよび画像処理を施した特徴データを生成すると共に、この表面イメージに基づいてＭＩＣＲ文字(磁気文字)を印字する際に、特徴データの一致を条件にＭＩＣＲ文字を印字するようにした帳票処理装置が知られている（特許文献１参照）。
【特許文献１】特開平９−２８２３８７号公報
【発明の開示】
【発明が解決しようとする課題】
【０００３】
しかしながら、この特許文献１の帳票処理装置にあっては、処理対象を手形とすると共に、手形の特徴データの一致を条件としてＭＩＣＲ文字を印字するようにしたもので、証券の種類に応じて手形処理あるいは小切手処理を選択的に実行することを前提とするものではなく、手形を統一して取り扱うようにしたものであった。
ところで、金融機関の事務センタにおいて、手形、小切手を印刷発行した後の流通証券を処理する場合、顧客から代金の取り立てを委託された銀行では、その手形を支払期日まで保管する期日管理を行うようにしている。すなわち、たとえば、Ａ銀行から発行された手形を受け取ったＡ顧客は、この手形に要件(金額、支払期日)を記入した後に、その支払先であるＢ顧客に手形を渡すと、Ｂ顧客は、自己の口座があるＢ銀行に対して代金の取り立てを依頼する。Ｂ銀行は、この手形をその支払期日まで保管した後に、その支払期日に達した際、その手形を交換所に持ち出す。Ａ銀行は、持ち帰った手形を処理し、そのＡ顧客の口座からＢ銀行側のＢ顧客の口座に資金を振り込んで決済を行う。このようにＢ銀行は、顧客から代金の取り立てを委託された手形をその支払期日まで保管する期日管理を行うが、この期日管理は、一般に次ぎの手順で行うようにしていた。
【０００４】
すなわち、手形の期日管理は、一般に、「事前読込処理」、「要件入力処理」、「要件印字処理」、「入庫処理」、「出庫処理」の順で行われる。ここで、「事前読込処理」では、受入手形のＭＩＣＲ文字印字欄の空白部分(補助自行欄)に一連番号をＭＩＣＲ文字にて印字すると共に、ＭＩＣＲ文字印字欄から読み取ったＭＩＣＲ情報を一連番号に対応付けて手形明細管理トランザクションファイルに格納しておく。その後、「要件入力処理」では、ＭＩＣＲ情報以外の要件データ(金額、支払期日など)が入力されると、一連番号をキーにして手形明細管理トランザクションファイルを検索し、対応するレコード位置に入力要件データを格納する。次ぎの「要件印字処理」では、ＭＩＣＲ文字印字欄から一連番号を読み取って認識し、この一連番号をキーとして手形明細管理トランザクションファイルをアクセスし、金額などの入力要件データを取得してＭＩＣＲ文字印字欄の空白部分(補助自行欄)にＭＩＣＲ文字にて印字する。
【０００５】
このようにして要件印字を終えた手形をその支払期日ごとなどに分類して保管庫に収納する。その際、手形から一連番号を読み取って、手形明細管理トランザクションファイルの内容と照合することによって分類特定を行う。そして、支払期日となった手形を保管庫から取り出し、手形を持ち出す準備を行う。この場合、出庫対象の手形から一連番号を読み取って、手形明細管理トランザクションファイルの内容と照合することによって出庫対象かどうかの判断を行う。このように手形に一連番号を印字することによって手形現物と手形明細管理トランザクションファイルの内容との関連付けが可能となり、期日管理を確実かつ安全に行うことができる。
【０００６】
図１８は、持出銀行側(Ｂ銀行側)における受入手形(約束手形)のフォーマット例を示した図である。
この手形のＭＩＣＲ文字印字欄Ｘには、ＭＩＣＲ用の特殊文字によって「種別コード」、「交換所番号」、「支払銀行コード」、「支払支店コード」、「支払口座番号」などがＭＩＣＲプリンタを使用して印字されるＭＩＣＲ文字印字欄Ｘが設けられ、また、ＭＩＣＲ文字印字欄Ｘ以外の券面部Ｙには、「表題」、「金融機関名」、「支払地」、「支払期日」、「ロゴマーク」などが通常文字にて印字されていると共に、金額記入欄などが印字されている。なお、ＭＩＣＲ文字印字欄Ｘには、一連番号などの印字領域Ｘ−１と金額の印字領域Ｘ−２が設けられている。図１９は、手形のＭＩＣＲ文字印字欄Ｘに「一連番号」をＭＩＣＲ文字にて印字した例を示し、図２０は、手形のＭＩＣＲ文字印字欄Ｘに「一連番号」と要件データとしての「支払期日」、「金額」をＭＩＣＲ文字にて印字した例を示している。
【０００７】
このように手形には、持出銀行(Ｂ銀行)が自由に使用可能な補助自行欄(ＭＩＣＲ文字印字欄の空白部分)が存在しているため、一連番号などをＭＩＣＲ文字にて印字することが可能であるが、小切手は手形と比較して横縦サイズが小さく、そのＭＩＣＲ文字印字欄には、一連番号をＭＩＣＲ文字にて印字することができるスペースは存在していない。そこで、従来においては、手形と同様に代金取り立ての期日が先となる小切手、つまり、先日付小切手を処理するために、以下の方法を採用している。すなわち、キャリアエンベロープと呼ばれる半透明袋が設けられた台紙に先日付小切手を収めて処理する方法と、先日付小切手の一端部に用紙を貼り付けて継ぎ足す方法を採用するようにしている。
【０００８】
図２１は、持出銀行側における受入小切手をキャリアエンベロープに格納した状態を示し、台紙の左下部分に「一連番号」を印字することができ、また、図２２は、小切手の一端に用紙を貼り付けた状態を示し、用紙の左下部分に「一連番号」を印字することができるが、キャリアエンベロープ、貼り付け用紙を用意しておく必要があるほか、キャリア内に先日付小切手を収納したり、用紙を貼り付ける手作業を必要とし、また、現物の小切手自体には金額などの要件を印字することができず、さらに、キャリア内から小切手が抜け落ちたり、用紙が剥がれるなどの事故が発生する危険性があった。
【０００９】
この発明の課題は、手形と小切手とが混在して証券収納部内に収められている状態でも、特別な作業を強要することなく、手形に関する処理と同様、小切手にも一連番号などの証券識別情報を印字することができると共に、この証券識別情報をキーとして小切手に関する証券情報を管理できるようにすることである。
【課題を解決するための手段】
【００１０】
請求項１記載の発明は、証券収納部から取り出された証券の種類に応じて手形処理あるいは小切手処理を選択的に実行する証券処理装置であって、手形と小切手とが混在して収納されている証券収納部から証券が取り出された際に、その証券の特性に応じて当該証券は手形か小切手かを判別する判別手段と、この判別手段によって手形であることが判別された場合に、証券識別情報を生成すると共に、手形の磁気文字印字欄の空白部分に証券識別情報を磁気文字にて印字するほかに、この証券識別情報を証券情報検索用のキー情報として当該手形の証券情報に対応付けて記憶管理する手形処理手段と、前記判別手段によって小切手であることが判別された場合に、証券識別情報を生成すると共に、小切手の磁気文字印字欄以外の券面空白部分に証券識別情報を印字するほかに、この証券識別情報を証券情報検索用のキー情報として当該小切手の証券情報に対応付けて記憶管理する小切手処理手段とを具備したことを特徴とする。
さらに、コンピュータに対して、上述した請求項１記載の発明に示した主要機能を実現させるためのプログラムを提供する（請求項１１記載の発明）。
ここで、証券情報とは、「ＭＩＣＲ文字情報」、「金額、支払期日などの要件」などであったり、「一連番号」、「証券イメージ」などであってもよく、証券に関する情報であることを示している。
【００１１】
なお、請求項１記載の発明は次のようなものであってもよい。
前記証券収納部から取り出された証券が搬送される過程において、証券の到来を検出してから証券の通過を検出するまでの時間を計時する計時手段と、証券の到来を検出してから証券の通過を検出するまでの間に証券搬送用の駆動モータに印加された駆動パルス数を計数する駆動パルス計数手段とを設け、前記判別手段は、前記計測時間が予め決められている制限時間に達していないことを条件に、前記モータに印加された駆動パルスの計数値を証券の長さとして特定し、この証券の長さに基づいて手形か小切手かを判別する（請求項２記載の発明）。
【００１２】
前記証券収納部から取り出された証券が搬送される過程において、証券の形状イメージを読み取るイメージ読取手段を設け、前記判別手段は、前記イメージ読取手段によって読み取られた証券イメージの全体形状を解析することで当該証券の形状特性を特定し、この特定形状に基づいて手形か小切手かを判別する（請求項３記載の発明）。
【００１３】
前記証券識別情報は、証券、手形に共通する一連番号であり、前記手形処理手段、小切手処理手段は、証券識別情報を生成する際に、一連番号を更新することによって証券識別情報を自動生成する（請求項４記載の発明）。
【００１４】
前記証券収納部から取り出された証券が搬送される過程において、手形、小切手の全体イメージを読み取るイメージ読取手段を設け、前記手形処理手段は、前記判別手段によって手形であることが判別された場合に、前記証券識別情報を磁気文字印字欄の空白部分に印字するほかに、前記イメージ読取手段によって読み取られた手形の全体イメージを当該証券識別情報に対応付けて記憶管理し、前記小切手処理手段は、前記判別手段によって小切手であることが判別された場合に、前記証券識別情報を磁気文字印字欄以外の券面空白部分に印字するほかに、前記イメージ読取手段によって読み取られた小切手の全体イメージを当該証券識別情報に対応付けて記憶管理する（請求項５記載の発明）。
【００１５】
この場合、前記証券収納部から取り出された証券が搬送される過程において、手形、小切手の磁気文字印字欄から磁気文字情報を読み取る磁気文字情報読取手段を設け、前記手形処理手段は、前記判別手段によって手形であることが判別された場合に、前記証券識別情報を磁気文字印字欄の空白部分に印字するほかに、前記磁気文字情報読取手段によって読み取られた磁気文字情報を当該証券識別情報に対応付けて記憶管理し、前記小切手処理手段は、前記判別手段によって小切手であることが判別された場合に、前記証券識別情報を磁気文字印字欄以外の券面空白部分に印字するほかに、磁気文字情報読取手段によって読み取られた磁気文字情報を当該証券識別情報に対応付けて記憶管理するようにしてもよい（請求項６記載の発明）。
【００１６】
証券に記入されている金額、支払期日の各要件のうち、少なくとも、金額データが入力された際に、この入力要件データを前記証券識別情報に対応付けて記憶管理する（請求項７記載の発明）。
【００１７】
この場合、証券の磁気文字印字欄に記録されているデータ以外の要件データを証券の券面に印字する際に、前記判別手段によって手形であることが判別された場合に、磁気文字印字欄から証券識別情報を光学的に読み取って認識すると共に、この証券識別情報に対応付けて記憶管理されている入力要件データを読み出し、この入力要件データを磁気文字印字欄の空白部分に磁気文字にて印字し、前記判別手段によって小切手であることが判別された場合に、小切手の券面に印字されている証券識別情報を光学的に読み取って認識すると共に、この証券識別情報に対応付けて記憶管理されている入力要件としての金額データを読み出し、この金額データを磁気文字印字欄の空白部分に磁気文字にて印字するようにしてもよい（請求項８記載の発明）。
【００１８】
さらに、証券識別情報を光学的に読み取るための光源として、赤外線光源、白色光源の何れかを点灯駆動させるかを切り換える光源切換手段を設け、この光源切換手段は、小切手の券面に印字されている証券識別情報を読み取る際に、予め設定されている使用光源設定情報に基づいて白色光源を点灯駆動させるか、赤外線光源を点灯駆動させるかの切り換えを制御するようにしてもよい（請求項９記載の発明）。
【００１９】
前記小切手処理手段は、予め小切手の券面に証券識別情報を印字させるか否かが任意に設定されていると共に、証券識別情報の印字領域を示す座標値が任意に設定されている印字設定データを参照し、証券識別情報を印字すべきことが設定されている場合には、前記印字設定データから証券識別情報の印字領域を示す座標値を読み出し、この座標値で示される印字領域内に証券識別情報を印字する（請求項１０記載の発明）。
【発明の効果】
【００２０】
請求項１記載の発明によれば、手形と小切手とが混在して収納されている証券収納部から証券が取り出された際に、その証券の特性(たとえば、形状特性、データ特性)に応じて当該証券は手形か小切手かを判別し、手形であれば、証券識別情報を生成すると共に、手形の磁気文字印字欄の空白部分に証券識別情報を磁気文字にて印字するほかに、この証券識別情報を証券情報検索用のキー情報として当該手形の証券情報に対応付けて記憶管理し、小切手であれば、証券識別情報を生成すると共に、小切手の磁気文字印字欄以外の券面空白部分に証券識別情報を印字するほかに、この証券識別情報を証券情報検索用のキー情報として当該小切手の証券情報に対応付けて記憶管理するようにしたから、手形と小切手とが混在して証券収納部内に収められている状態でも、金融機関側に特別な作業を強要することなく、手形に関する処理と同様に、小切手にも証券識別情報を印字することができると共に、この証券識別情報をキーとして小切手に関する証券情報を管理することができ、手形と小切手とを同様に取り扱うことが可能となる。
したがって、手形の期日管理のほか、先日付付き小切手に対しても手形と同様な期日管理が可能となり、従来のように、キャリアエンベロープと呼ばれる半透明袋が設けられた台紙に先日付小切手を収めて処理したり、先日付小切手の一端部に用紙を貼り付けて処理する必要もなく、また、証券を出庫するときに小切手をキャリアエンベロープから抜き取ったり、継ぎ足した用紙を剥がし取る作業も不要となるなど、処理全体を効率良く行うことが可能となる。
【００２１】
請求項２記載の発明によれば、上述した請求項１記載の発明と同様の効果を有する他、証券収納部から取り出された証券が搬送される過程において、証券の到来を検出してから証券の通過を検出するまでの時間を計時すると共に、証券の到来を検出してから証券の通過を検出するまでの間に証券搬送用の駆動モータに印加された駆動パルス数を計数し、この計測時間が予め決められている制限時間に達していないことを条件に、モータ駆動パルスの計数値を証券の長さとして特定し、この証券の長さに基づいて手形か小切手かを判別するようにしたから、証券の到来を検出してから証券の通過を検出するまでの時間がその制限時間内であることを条件に、つまり、紙詰まり、用紙のスリップなどのトラブルが発生していないことを条件に、証券搬送用の駆動モータに印加された駆動パルス数を証券の長さとして特定することができ、確実な判別が可能となる。
【００２２】
請求項３記載の発明によれば、上述した請求項１記載の発明と同様の効果を有する他、証券収納部から取り出された証券が搬送される過程において、証券の形状イメージを読み取り、この証券イメージの全体形状を解析することによって当該証券の形状特性を特定し、この特定形状に基づいて手形か小切手かを判別するようにしたから、イメージ画像を解析することによって証券の縦の長さ、横の長さ、縦横比などを総合的に考慮して手形か小切手かをより正確に判別することができる。
【００２３】
請求項４記載の発明によれば、上述した請求項１記載の発明と同様の効果を有する他、証券識別情報は、証券、手形に共通する一連番号であり、証券識別情報を生成する際に、一連番号を更新することによって証券識別情報を自動生成するようにしたから、手形と小切手に分けず、同じ証券として取り扱うことができ、手形と小切手との一元管理が可能となる。
【００２４】
請求項５記載の発明によれば、上述した請求項１記載の発明と同様の効果を有する他、証券が手形であれば、証券識別情報を磁気文字印字欄の空白部分に印字するほかに、この手形の全体イメージを当該証券識別情報に対応付けて記憶管理し、小切手であれば、証券識別情報を磁気文字印字欄以外の券面空白部分に印字するほかに、この小切手の全体イメージを当該証券識別情報に対応付けて記憶管理するようにしたから、手形、小切手のイメージと証券識別情報とを対応付けて記憶管理することができ、証券識別情報を検索キーとして指定するだけでその証券イメージを自由に取得することが可能となる。
【００２５】
この場合、証券収納部から取り出された証券が搬送される過程において、手形、小切手の磁気文字印字欄から磁気文字情報を読み取り、その証券が手形であれば、証券識別情報を磁気文字印字欄の空白部分に印字するほかに、この磁気文字情報を当該証券識別情報に対応付けて記憶管理し、小切手であれば、証券識別情報を磁気文字印字欄以外の券面空白部分に印字するほかに、この磁気文字情報を当該証券識別情報に対応付けて記憶管理するようにしたから(請求項６記載の発明)、証券識別情報を検索キーとして指定するだけで、証券毎にその全体イメージと共にその磁気文字情報も自由に取得することが可能となる。
【００２６】
請求項７記載の発明によれば、上述した請求項１記載の発明と同様の効果を有する他、証券に記入されている金額、「支払期日の各要件のうち、少なくとも、金額データが入力された際に、この入力要件データを前記証券識別情報に対応付けて記憶管理するようにしたから、たとえば、先日付小切手において、その券面の任意の個所に支払期日が記入されている場合、この小切手イメージが証券識別情報に対応付けて記憶管理されているので、証券識別情報を指定するだけで対応する小切手イメージを呼び出すことができる。
【００２７】
この場合、証券の磁気文字印字欄に記録されているデータ以外の要件データを証券の券面に印字する際に、その証券が手形であれば、磁気文字印字欄から証券識別情報を光学的に読み取って認識すると共に、この証券識別情報に対応付けて記憶管理されている入力要件データを読み出し、この入力要件データを磁気文字印字欄の空白部分に磁気文字にて印字し、小切手であれば、小切手の券面に印字されている証券識別情報を光学的に読み取って認識すると共に、この証券識別情報に対応付けて記憶管理されている入力要件としての金額データを読み出し、この金額データを磁気文字印字欄の空白部分に磁気文字にて印字するようにしたから（請求項８記載の発明）、証券イメージ内から視読した「金額」、「支払期日」などを要件データとして入力することによって、証券識別情報と要件データとを対応付けて記憶管理することができ、手形の期日管理のほか、先日付小切手に対しても同様な期日管理が可能となる。
【００２８】
さらに、小切手の券面に印字されている証券識別情報を読み取る際に、予め設定されている使用光源設定情報に基づいて白色光源を点灯駆動させるか、赤外線光源を点灯駆動させるかの切り換えを制御するようにしたから（請求項９記載の発明）、小切手の券面に印字されている証券識別情報を読み取る際に、必要に応じて光源を任意に切り換えることができると共に、券面全体に施されている地紋の印刷色などの影響を赤外線光源によって極力抑えることができ、証券識別情報を良好に読み取ることが可能となる。
【００２９】
請求項１０記載の発明によれば、上述した請求項１記載の発明と同様の効果を有する他、予め小切手の券面に証券識別情報を印字させるか否かが任意に設定されていると共に、証券識別情報の印字領域を示す座標値が任意に設定されている印字設定データを参照し、証券識別情報を印字すべきことが設定されている場合には、印字設定データから証券識別情報の印字領域を示す座標値を読み出し、この座標値で示される印字領域内に証券識別情報を印字するようにしたから、小切手の券面に証券識別情報を印字させるか否かを任意に選択可能であると共に、証券識別情報の印字領域も任意に変更可能となり、必要に応じた対応によって自由度を増すことが可能となる。
【発明を実施するための最良の形態】
【００３０】
以下、図１〜図１７を参照して本発明の実施例を説明する。
図１は、この実施例における証券処理装置の外観斜視図である。
この証券処理装置は、金融機関側において顧客から代金の取り立てを委託された証券(手形、小切手)をその支払期日まで保管する期日管理処理を行うもので、この期日管理処理は、上述したように「事前読込処理」、「要件入力処理」、「要件印字処理」のほか、「入庫処理」、「出庫処理」を順次実行する。この場合、「事前読込処理」では、手形のほか、先日付小切手にも一連番号(証券識別情報)を印字すると共に、この一連番号と証券情報とを対応付けて記憶管理するほか、証券の要件データを印字する「要件印字処理」の際に、一連番号を読み取って認識すると共に、この一連番号に対応付けて記憶管理されている入力要件データを読み出し、この入力要件データを証券のＭＩＣＲ文字(磁気文字)印字欄の空白部分にＭＩＣＲ文字(磁気文字)にて印字するようにしている。
なお、ＭＩＣＲ文字の印刷には、一般に特殊の磁気インクを使用しているが、磁気成分（酸化鉄）を適量配合した磁気トナーを使用して印刷するようにしてもよい(以下、同様)。
【００３１】
この証券処理装置において、その装置本体１は、その全体形状が細長の机状を成しており、この本体１の上面一端部(図中、左端部)には、証券を収納するホッパー部２が設けられ、また、上面他端部(図中、右端部)には、分類別ポケット付きスタッカ部３が設けられており、このホッパー部２とスタッカ部３とは、証券搬送路４を介して接続されている。この証券搬送路４は、搬送用モータ群(図示せず)を駆動することによって搬送ローラ群(駆動ローラ、送りローラ)によって証券をホッパー部２からスタッカ部３まで一定速度で走行移動させるものである。なお、装置本体１の机面において、その中央部分は任意に使用可能な作業台となっている。また、ホッパー部２の近傍には、証券に関する情報などを表示する液晶画面等の表示装置５と、証券データなどを入力するキーボード６などが配置されている。さらに、証券搬送路４に沿ってその近傍には、各種のデバイスユニット(後述する)が配置されている。
【００３２】
なお、この実施例において、ホッパー部２に収納可能な証券としては、手形に限らず、先日付小切手も混在して収納してもよく、しかも、上述したキャリアエンベロープに先日付小切手を収めたり、先日付小切手の一端部に用紙を貼り付けて継ぎ足す必要はなく、ホッパー部２に先日付小切手をそのまま収納するようにしている。すなわち、手形と小切手の縦幅サイズ、横幅サイズは、かなり相違しており、手形＞小切手の関係にあるが、この実施例の証券処理装置においては、手形と小切手とを処理対象としてホッパー部２に混在して収納しても、小切手を手形と同様に処理可能となっている。ここで、ホッパー部２から１枚ずつ繰り出された証券は、その搬送路４を介してスタッカ部３まで搬送されてその分類別ポケット内に投入収納されるが、その際、証券搬送路４に沿って配置されている各デバイスユニットによって各種の処理が逐次実行される。
【００３３】
図２は、ホッパー部２とスタッカ部３とを接続する証券搬送路４に沿って順次配置されている各種のデバイスユニットを示した図である。
なお、図中のシンボル表記において、証券搬送路４に沿って示した「上下一対の丸印」は、証券を搬送するための搬送ローラを示したシンボルであり、また、証券搬送路４に対して直角に引いた「１本の線分」は、各種のセンサを示したシンボルであり、この搬送ローラおよびセンサは、証券搬送路４上の必要個所にそれぞれ配置されている。ここで、各デバイスユニットの入口側には、証券の到来を検出するための入口センサＥＳが設けられ、また、各デバイスユニットの出口側には、証券の通過を検出するための出口センサＯＳが設けられている。なお、入口センサＥＳと出口センサＯＳは、証券によって赤外線が遮断したか否かを光学的に検知する通常の赤外線センサであるが、勿論、その他のセンサを使用してもよい。
【００３４】
先ず、ホッパー部２からスタッカ部３まで証券搬送路４を介して証券が搬送されてゆく過程において、ホッパー部２の近傍には、給紙ローラ群７と証券の長さを検出するための証券長さ検出部８が設けられている。
図３は、証券長さ検出部８の付近において、証券搬送路４の構成を詳述に示すと共に、証券長さ検出部８の配置状態を示した図であり、(Ａ)は、証券搬送路４の概略側面図、(Ｂ)は、その概略上面図である。この証券搬送路４は、搬送ベース板４Ａの両側にガイド板４Ｂを直角に立ち上げることによって搬送用の走行溝(走行レール)を有する構成で、このガイド板４Ｂの開口部には、搬送ローラ群９の一部分が挿入配置されている。
【００３５】
証券長さ検出部８は、ガイド板４Ｂに取り付けられた発光側センサ８Ａと受光側センサ８Ｂとを有する構成で、ホッパー部２から１枚毎に繰り出された証券によって光が遮断されたか否かに応じて証券が到来したか、通過したかを検出する。ここで、この実施例における証券処理装置は、この証券長さ検出部８によって証券の到来が検出されてから証券の通過が検出されるまでの時間を計時すると共に、証券の到来が検出されてから証券の通過が検出されるまでの間に証券搬送用の駆動モータ(図示せず)に印加された駆動パルス数を計数し、この計測時間が予め決められている制限時間に達していないことを条件(紙詰まり、用紙スリップなどが発生していないことを条件)に、当該モータに印加された駆動パルスの計数値を証券の長さとして特定し、この証券の長さに基づいて手形か小切手かを判別するようにしている。
【００３６】
証券長さ検出部８を通過した証券は、フロントイメージキャプチャ部１０に送られる。このフロントイメージキャプチャ部１０は、上述した「事前読込処理」、「要件入力処理」を実行した後の「要件印字処理」において、搬送中の証券が小切手であると判別された際に、小切手の表面全体のイメージを読み取るイメージリーダである。ここで、この実施例における証券処理装置は、フロントイメージキャプチャ部１０によって読み取られた小切手のイメージデータから一連番号部分を切り出すと共に、この切り出した一連番号部分を文字認識することによって一連番号(数値列データ)を得るようにしている。
図４は、フロントイメージキャプチャ部１０の構成を示し、(Ａ)は、フロントイメージキャプチャ部１０の概略側面図、(Ｂ)は、その概略上面図である。フロントイメージキャプチャ部１０は、後述するＣＩＳ本体(光源付きのコンタクトイメージセンサ)１０Ａを有する構成で、証券搬送路４を構成する一方のガイド板４Ｂにおいて、その開口部にＣＩＳ固定金具１０Ｂを介して取り付けられており、ガイド板４Ｂの反対側に取りつけられたピンチローラ１０Ｃと対向し、また、その全体の長さは、証券の高さ以上のサイズを持ち、証券全体のイメージを読み取るようにしている。
【００３７】
図５は、フロントイメージキャプチャ部１０において、そのＣＩＳ本体１０Ａの構成を示した図である。
ＣＩＳ本体１０Ａは、その長さ方向に沿った撮像素子(ＣＣＤ)搭載基板１００Ａと証券(小切手)を照明する光源としての複数の白色ＬＥＤ(発光ダイオード)１００Ｂおよび赤外線ＬＥＤ１００Ｃを有している。この複数の白色ＬＥＤ１００Ｂ、赤外線ＬＥＤ１００Ｃは、直線的に配列されたもので、各ＬＥＤは個別に発光制御可能となっている。この場合、小切手の券面に印字されている一連番号を読み取る際に、予め設定されている使用光源設定データ(図１５参照)に基づいて白色ＬＥＤ１００Ｂを点灯駆動させるか、赤外線ＬＥＤ１００Ｃを点灯駆動させるかを切り換え制御するようにしている。すなわち、赤外線ＬＥＤ１００Ｃを点灯駆動によって券面全体に施されている地紋の印刷色などの影響を極力抑えるようにしている。この場合、白色ＬＥＤ１００Ｂを点灯駆動させるか、赤外線ＬＥＤ１００Ｃを点灯駆動させるかは、オペレータが使用光源設定データの内容を変えることによって任意に選択可能となっている。
【００３８】
フロントイメージキャプチャ部１０を通過した証券は、ＭＩＣＲ（Magnetic Ink Character Recognition：磁気文字認識）リーダ部１１に送られる。このＭＩＣＲリーダ部１１は、証券(手形、小切手)の一部であるＭＩＣＲ文字(磁気インク)印字欄の内容を読み取るリーダで、上述した「事前読込処理」、「要件入力処理」を実行した後の「要件印字処理」において搬送中の証券が手形であると判別された際には、ＭＩＣＲ文字印字欄に印字されている一連番号をも含めて読み取るようにしている。
このＭＩＣＲリーダ部１１を通過した証券は、ＭＩＣＲプリンタ部１２に搬送される。このＭＩＣＲプリンタ１２は、インクリボン式のプリンタであり、ＭＩＣＲ文字(磁気文字)を印字するもので、「事前読込処理」において、搬送中の証券が手形であれば、そのＭＩＣＲ文字印字欄の空白部分(補助自行欄)に「一連番号」を印字し、「要件入力処理」において搬送中の証券が手形であれば、「支払期日」、「金額」を印字するようにしている。
【００３９】
ＭＩＣＲプリンタ１２を通過した証券は、券面プリンタ部１３に搬送される。この券面プリンタ部１３は、通常の券面印字用のインクリボン式プリンタであり、「事前読込処理」において、搬送中の証券が小切手であれば、この小切手の券面所定位置(ＭＩＣＲ文字印字欄以外の空白部分)に「一連番号」を印字するものである。
図６は、小切手の券面所定位置に「一連番号」が印字された小切手の印字例を示した図である。小切手のＭＩＣＲ文字(磁気文字)印字欄とそれ以外の券面との境界付近において、図中、左端部の空白部分に「一連番号」として“２０３４１”を印字した場合である。なお、「一連番号」の印字位置は、当該部分に限らず、任意であり、たとえば、金額欄の右側近傍に印字するようにしてもよい。
【００４０】
券面プリンタ部１３を通過した証券は、リヤイメージキャプチャ部１４に搬送される。このイメージキャプチャ部１４は、証券の表裏両面のイメージを読み取るもので、表面イメージ読み取り用のＣＩＳ本体１４Ａと、裏面イメージ読み取り用のＣＩＳ本体１４Ｂとを有している。このＣＩＳ本体１４Ａ、１４Ｂは、光源付きのコンタクトイメージセンサである。そして、このイメージキャプチャ部１４を通過した証券は、分類別ポケット付きスタッカ部３に搬送されるが、その際、この証券は金融機関別に分類されて対応する分類別ポケット内に投入格納される。
【００４１】
図７は、証券処理装置の基本的な構成要素を示したブロック図である。
ＣＰＵ２１は、記憶部２２内のオペレーティングシステム、各種アプリケーションソフトに応じてこの証券処理装置の全体動作を制御する中央演算処理装置である。記憶部２２は、プログラム領域とデータ領域とを有し、磁気的メモリ、光学的メモリ、半導体メモリ等の他、その駆動系を有する構成となっている。この記憶部２２内のプログラム領域には、後述する図８〜図１４に示す動作手順に応じて本実施例を実現する為のアプリケーションプログラムが格納され、また、そのデータ領域には、後述する図１５〜図１７に示すデータ（一連番号管理データ、小切手番号印字位置設定データ、使用光源設定データ、証券明細管理トランザクションファイル、イメージデータ格納専用ファイル）が格納されている。この記憶部２２内のプログラム、データは、必要に応じてＲＡＭ（たとえば、スタティックＲＡＭ）２３にロードされたり、このＲＡＭ２３内のデータが記憶部２２にセーブされる。なお、ＲＡＭ２３は、プログラム実行領域と作業領域とを有している。
【００４２】
さらに、ＣＰＵ２１は、通信装置２４を介して他の電子機器側のプログラム／データを直接アクセスしたり、通信装置２４を介してダウンロード受信することもできる。一方、ＣＰＵ２１には、その入出力周辺デバイスである表示装置５およびキーボード６がバスラインを介して接続されていると共に、証券搬送路４に沿って配置されている各種デバイスユニット、すなわち、ホッパー部２、証券長さ検出部８、フロントイメージキャプチャ部１０、ＭＩＣＲリーダ部１１、ＭＩＣＲプリンタ部１２、券面プリンタ部１３、リヤイメージキャプチャ部１４、スタッカ部３が対応する制御部２５〜３２、メイン制御部３３を介して接続されている。また、ＣＰＵ２１にはメイン制御部３３を介して搬送制御部３４が接続されている。搬送制御部３４は、搬送ローラ群９、センサ群などの駆動を制御するもので、この搬送制御部３４には、各種デバイスユニットとしてホッパー部２、証券長さ検出部８、フロントイメージキャプチャ部１０、ＭＩＣＲリーダ部１１、ＭＩＣＲプリンタ部１２、券面プリンタ部１３、リヤイメージキャプチャ部１４、スタッカ部３にそれぞれ接続されている。
【００４３】
次ぎに、この実施例における証券処理装置の動作概念を図８〜図１４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００４４】
図８は、事前読込処理の開始指示に応答して実行される事前読込処理の全体概要を示したフローチャートである。
先ず、ＣＰＵ２１は、事前読込処理の開始が指示されると、証券搬送路４上の各種のデバイスユニット、モータ群、センサ群に対して駆動指令を与えた後(ステップＡ１)、各種のデバイスユニットの動作が安定するまでの時間(たとえば、数秒程度)待機する(ステップＡ２)。その後、給紙ローラ群７を制御してホッパー部２内の証券を搬送路４に給紙する搬送動作を開始させる(ステップＡ３)。
【００４５】
ここで、証券が給紙されたことがセンサ検出されると(ステップＡ４でＹＥＳ)、この証券は手形か小切手かの判別を行う証券種別判別処理を実行し(ステップＡ５)、給紙証券が手形であれば、手形の事前読込処理を実行するが(ステップＡ６)、小切手であれば、小切手の事前読込処理を実行する(ステップＡ７)。そして、ホッパー部２内の全ての証券を処理し終わったこと(証券無し)がセンサ検出されたり、オペレータ指示によって事前読込処理の終了が指示されたか否かをチェックする(ステップＡ８)。ここで、ホッパー部２内に未処理の証券が残っていたり、オペレータ指示からの終了指示がない場合には、ステップＡ４に戻り、以下、ホッパー部２から次ぎの証券が給紙される毎に、上述の動作が繰り返される(ステップＡ４〜Ａ８)。
【００４６】
図９は、図８の証券種別判別処理(ステップＡ５)を詳述するためのフローチャートである。
先ず、ＣＰＵ２１は、証券長さ検出部８からのセンサ検出信号を受け取ってそのＯＮ／ＯＦＦ状態をチェックし、証券の到来によって光が遮断されてセンサ検出信号がＯＮされた際には(ステップＡ５０でＹＥＳ)、タイマの計時動作をスタート (クリアスタート) させる(ステップＡ５１)。そして、証券搬送用の駆動モータ(図示せず)の印加パルス数をカウントする(ステップＡ５２)。そして、証券長さ検出部８からのセンサ検出信号を受け取って証券の通過によってセンサ検出信号がＯＦＦされたか否かをチェックし(ステップＡ５３)、センサ検出信号がＯＮのままであれば(ステップＡ５３でＮＯ)、ステップＡ５１に戻って証券搬送用の駆動モータの印加パルス数をカウントし続ける。
【００４７】
ここで、証券の通過によってセンサ検出信号がＯＦＦされた場合には(ステップＡ５３でＹＥＳ)、タイマ計時をストップさせると共に(ステップＡ５４)、上述のパルスカウントをストップさせる(ステップＡ５５)。そして、このタイマ時間は予め設定されている制限時間内か否かをチェックする(ステップＡ５６)。この場合、証券の到来を検出してから証券の通過を検出するまでの時間がその制限時間内であることを条件、つまり、紙詰まり、用紙のスリップなどのトラブルが発生していないことを条件に(ステップＡ５６でＹＥＳ)、証券搬送用の駆動モータに印加された駆動パルス数(パルスカウント値)に基づいて証券の長さ(長手方向のサイズ)を特定する(ステップＡ５７)。
【００４８】
この場合、「１パルスの送り量×パルスカウント数＝証券の長さ」となるが、証券搬送時のわずかなスリップなどを考慮した値を証券の長さとして特定すると共に、この証券の長さに基づいて手形か小切手かの判別を行う(ステップＡ５８)。すなわち、いま、小切手の長さが「１６９ｍｍ」で、手形の長さが「２１６ｍｍ」であり、その差が「４７ｍｍ」である場合に、パルスカウント値に証券搬送時のわずかなスリップなどを考慮した値を「１６９＋α」とすると、証券は手形であると判別し、パルスカウント値に証券搬送時のわずかなスリップなどを考慮した値を「２１６＋β」とすると、証券は小切手であると判別する。
一方、証券の到来を検出してから証券の通過を検出するまでの時間がその制限時間を超えた場合には(ステップＡ５６でＮＯ)、紙詰まり、用紙のスリップなどのトラブルが発生したものとして認識し、ＣＰＵ２１は、証券ジャム警告などをアラーム音で報知したり、警告メッセージを表示出力させる(ステップＡ５９)。
【００４９】
図１０は、図８の手形事前読込処理 (ステップＡ６)を詳述するためのフローチャートである。
先ず、ＣＰＵ２１は、フロントイメージキャプチャ部１０および券面プリンタ部１３を無効にする使用対象外デバイスとする(ステップＡ６０)。なお、使用対象外として指定された各デバイスユニットは、使用対象外となっても動作可能な状態を保持しているが、ＣＰＵ２１と当該デバイスユニットとの間でデータの授受は行われず、これらのデバイスユニットを処理的に単に通過するだけであることを意味している(以下、同様)。この状態において、手形がＭＩＣＲリーダ部１１の近傍に達したことがセンサ検出されると、ＭＩＣＲリーダ部１１は、手形のＭＩＣＲ文字(磁気文字)印字欄からＭＩＣＲ（Magnetic Ink Character Recognition：磁気文字認識）情報「種別コード」、「交換所番号」、「支払銀行コード」、「支払支店コード」、「支払口座番号」を読み取る(ステップＡ６１)。
【００５０】
すると、ＣＰＵ２１は、図１５で示した一連番号管理データ４１を読み出し、この一連番号を「＋１」する更新処理を実行することによって新たな一連番号を生成する(ステップＡ６２)。なお、一連番号管理データ４１は、現時点における最新の一連番号、つまり、最終の一連番号を記憶管理するもので、この一連番号は、たとえば、６桁〜１２桁構成となっており、新たな一連番号が生成される毎に、一連番号管理データ４１の内容が「＋１」ずつ更新される。このようにして新たな一連番号を生成した後、ＣＰＵ２１は、ＭＩＣＲリーダ部１１によって読み取られたＭＩＣＲ情報を当該新たな一連番号に対応付けて証券明細管理トランザクションファイル４４に格納する(ステップＡ６３)。
【００５１】
図１６は、証券明細管理トランザクションファイル４４の１レコード分のデータ内容を示した図である。
この証券明細レコードは、証券毎に生成されたレコードであり、「一連番号」、「支払期日」、「交換所番号」、「支払銀行コード」、「支払支店コード」、「支払口座番号」、「金額」、「支払人カナ名」、「支払人漢字名」の各項目を有していいる。この証券明細レコードを構成する各項目のうち、「交換所番号」、「支払銀行コード」、「支払支店コード」、「支払口座番号」は、ＭＩＣＲリーダ部１１によって現物から読み取ったＭＩＣＲ情報であり、また、「一連番号」は、上述のようにして自動生成した情報であり、その他の「支払期日」、「金額」、「支払人カナ名」、「支払人漢字名」は、要件入力処理によってオペレータがキー入力したデータである。
【００５２】
そして、手形がＭＩＣＲプリンタ部１２の近傍に達したことがセンサ検出されると、ＣＰＵ２１は、上述のようにして自動生成した新たな一連番号をＭＩＣＲ文字(磁気文字)としてＭＩＣＲプリンタ部１２に送り、手形のＭＩＣＲ文字印字欄の空白部分(補助自行欄)に「一連番号」を通常と同様に印字させる(ステップＡ６４)。さらに、手形がリヤイメージキャプチャ部１４の近傍に達したことがセンサ検出されると、リヤイメージキャプチャ部１４は、手形の表裏両面の全体イメージを読み取る(ステップＡ６５)。すると、ＣＰＵ２１は、手形の表面イメージおよび裏面イメージを取得し、上述のようにして自動生成した新たな一連番号に対応付けて表面イメージおよび裏面イメージをイメージデータ格納専用ファイル４５にセットする(ステップＡ６６)。
【００５３】
図１７は、イメージデータ格納専用ファイル４５の内容を示した図である。
このイメージデータ格納専用ファイル４５は、証券毎に自動生成された一連番号に対応付けてその証券の全体イメージデータ(表面イメージ、裏面イメージ)を記憶管理するもので、このイメージデータは、一連番号をキーとして証券毎に読み出される。
次ぎに、リヤイメージキャプチャ部１４を通過した手形が分類別ポケット付きスタッカ部３の近傍に達したことがセンサ検出されると、この手形は通常と同様に、その支払銀行に対応する分類別ポケットに投入格納される(ステップＡ６７)。
【００５４】
図１１は、図８の小切手事前読込処理 (ステップＡ７)を詳述するためのフローチャートである。
先ず、ＣＰＵ２１は、フロントイメージキャプチャ部１０およびＭＩＣＲプリンタ部１２を無効とする使用対象外デバイスとする(ステップＡ７０)。この状態において、小切手がＭＩＣＲリーダ部１１の近傍に達したことがセンサ検出されると、ＭＩＣＲリーダ部１１は、小切手のＭＩＣＲ文字印字欄からＭＩＣＲ情報を読み取る(ステップＡ７１)。すると、ＣＰＵ２１は、図１５に示した一連番号管理データ４１を読み出し、この一連番号を「＋１」する更新処理を実行して新たな一連番号を生成すると共に(ステップＡ７２)、ＭＩＣＲリーダ部１１によって読み取られたＭＩＣＲ情報を新たな一連番号に対応付けて証券明細管理トランザクションファイル４４に格納する(ステップＡ７３)。
【００５５】
そして、小切手が券面プリンタ部１３の近傍に達したことがセンサ検出されると、小切手の券面に一連番号を印字するか否かをチェックする(ステップＡ７４)。この場合、図１５に示す小切手番号印字位置設定データ４２を参照して一連番号を印字するか否かの判別を行う。すなわち、小切手番号印字位置設定データ４２は、小切手の券面所定位置に一連番号を印字させるか否かを任意に選択可能な制御データとしての「ＯＮ／ＯＦＦ」の設定データと、「一連番号の印字位置を示すためのＸ座標」、「一連番号の印字位置を示すためのＹ座標」を有し、これらは予め任意に設定されたものであり、必要に応じてその設定内容を変更できる。ここで、制御データが「ＯＮ」に設定されていれば、券面プリンタ部１３にて小切手の券面に一連番号の印字を行うが(ステップＡ７５)、制御データが「ＯＦＦ」に設定されていれば、ステップＡ７５はスキップされ、通常と同様、一連番号の印字は行われない。
【００５６】
ここで、小切手の券面に一連番号を印字すべきことが設定されている場合において、ＣＰＵ２１は、小切手番号印字位置設定データ４２内から「一連番号の印字位置を示すＸ座標」、「一連番号の印字位置を示すＹ座標」を読み出し、この「Ｘ座標」、「Ｙ座標」で示される券面の所定位置に「一連番号」を券面プリンタ部１３にて印字させるが、この「Ｘ座標」、「Ｙ座標」は、一連番号が印字される領域の一点を示すもので、たとえば、証券の左上の角部を座標系の原点とすると、この原点から一連番号印字領域の一点(たとえば、その左上角部)を示している。ここで、図６で示したように、小切手のＭＩＣＲ文字印字欄と券面との境界付近において、図中、左端部の空白部分に「一連番号」が印字される。すなわち、小切手の券面には、「振出地」の項目が存在しているが、この「振出地」と「ＭＩＣＲ文字印字欄」との間には、１行分程度の空白領域が存在しているため、この「振出地」の下側の当該空白領域を利用して、たとえば、６桁〜１２桁構成の「一連番号」を印字するようにしている。
【００５７】
次ぎに、小切手がリヤイメージキャプチャ部１４の近傍に達したことがセンサ検出されると、このイメージキャプチャ部１４は、小切手の表裏両面の全体イメージを読み取る(ステップＡ７６)。すると、ＣＰＵ２１は、手形の表面イメージおよび裏面イメージを当該キャプチャ部１４から取得し、上述のようにして自動生成した新たな一連番号に対応付けて当該表面イメージおよび裏面イメージをイメージデータ格納専用ファイル４５にセットする(ステップＡ７７)。そして、このイメージキャプチャ部１４を通過した小切手が分類別ポケット付きスタッカ部３の近傍に達したことがセンサ検出されると、この小切手は該当ポケットに投入格納される(ステップＡ７８)。
【００５８】
このようにして「事前読込処理」が終了した後、オペレータは、証券に記入されている「金額」、「支払期日」、「支払人かな名」、「支払人漢字名」の要件データを入力するための「要件入力処理」を行うようにしているが、この「要件入力処理」は、基本的には通常と同様であるため、そのフローチャートは図示省略する。この場合、証券毎に各要件データを入力する際に、その証券の一連番号に基づいてイメージデータ格納専用ファイル４５をアクセスして対応する証券のイメージを読み出して表示出力させ、現物の証券と照合しながら行うことができ、また、証券の一連番号に基づいて証券明細管理トランザクションファイル４４をアクセスし、入力された要件データを対応する証券明細レコード内の対応項目位置にセットすることができる。このようにして証券１枚毎に要件データを入力して証券明細管理トランザクションファイル４４に登録する処理が終了すると、オペレータは、「要件印字処理」の実行を指示する。
【００５９】
図１２は、要件印字処理の開始指示に応答して実行される要件印字処理の全体概要を示したフローチャートである。
先ず、ＣＰＵ２１は、要件印字処理の開始が指示されると、証券搬送路４上の各種のデバイスユニット、モータ群、センサ群に対して駆動指令を与えた後(ステップＢ１)、各種のデバイスユニットの動作が安定するまでの時間(たとえば、数秒間程度)待機する(ステップＢ２)。その後、給紙ローラ群７を制御してホッパー部２内の証券を搬送路４に給紙する搬送動作を開始する(ステップＢ３)。ここで、証券が給紙されたことがセンサ検出されると(ステップＢ４でＹＥＳ)、この証券は手形か小切手かの判別を行う証券種別判別処理を実行する(ステップＢ５)。なお、この場合の証券種別判別処理も上述した図９のフローチャートと同様である。
【００６０】
この証券種別判別処理において、給紙された証券が手形であることが判別された場合には、手形の要件印字処理を実行するが(ステップＢ６)、小切手であることが判別された場合には、小切手の要件印字処理を実行する(ステップＢ７)。そして、ホッパー部２内の全ての証券を処理し終わったこと(証券無し)がセンサ検出されたり、オペレータ指示によって要件印字処理の終了が指示されたか否かをチェックする(ステップＢ８)。ここで、ホッパー部２内に未処理の証券が残っていたり、オペレータ指示からの終了指示がない場合には、ステップＢ４に戻り、以下、ホッパー部２から次ぎの証券が給紙される毎に上述の動作が繰り返される(ステップＢ４〜Ｂ８)。
【００６１】
図１３は、図１２の手形要件印字処理(ステップＢ６)を詳述するためのフローチャートである。
先ず、ＣＰＵ２１は、フロントイメージキャプチャ部１０および券面プリンタ部１３を無効にする使用対象外デバイスとする(ステップＢ６０)。この状態において、手形がＭＩＣＲリーダ部１１の近傍に達したことがセンサ検出されると、ＭＩＣＲリーダ部１１は、手形のＭＩＣＲ文字印字欄に印字されているＭＩＣＲ情報を読み取ると共に(ステップＢ６１)、このＭＩＣＲ情報の中から「一連番号」の印字領域を特定し、この特定領域内のデータを「一連番号」として切り出して番号認識を行う(ステップＢ６２)。これによって認識した「一連番号」に基づいて証券明細管理トランザクションファイル４４を検索して(ステップＢ６３)、該当する「金額」、「支払期日」の各項目データを読み出す(ステップＢ６４)。
【００６２】
ここで、手形がＭＩＣＲプリンタ部１２の近傍に達したことがセンサ検出されると、ＭＩＣＲプリンタ部１２は、通常と同様に、手形のＭＩＣＲ文字印字欄における所定の空白領域(補助自行欄)に「金額」、「支払期日」をＭＩＣＲ文字にて印字する(ステップＢ６５)。そして、手形がリヤイメージキャプチャ部１４の近傍に達したことがセンサ検出されると、このイメージキャプチャ部１４は、手形の表裏両面の全体イメージを読み取る(ステップＢ６６)。すると、ＣＰＵ２１は、手形の表面イメージおよび裏面イメージを取得すると共に、当該一連番号に対応付けて表面イメージおよび裏面イメージをイメージデータ格納専用ファイル４５にセットする(ステップＢ６７)。次ぎに、手形が分類別ポケット付きスタッカ部３の近傍に達したことがセンサ検出されると、この手形はその支払銀行に対応する分類別ポケットに投入格納される(ステップＢ６８)。
【００６３】
図１４は、図１２の小切手要件印字処理 (ステップＢ７)を詳述するためのフローチャートである。
先ず、ＣＰＵ２１は、ＭＩＣＲプリンタ部１２を無効にする使用対象外デバイスとする(ステップＢ７００)。この状態において、小切手がフロントイメージキャプチャ部１０の近傍に達したことがセンサ検出されると、フロントイメージキャプチャ部１０の白色ＬＥＤ１００Ｂを点灯駆動させるか、赤外線ＬＥＤ１００Ｃを点灯駆動させるかを図１５に示した使用光源設定データ４３によって、その切り換えを制御する(ステップＢ７０１)。ここで、使用光源設定データ４３は、その設定値が“１”の場合には、赤外線ＬＥＤ１００Ｃを点灯駆動させることを示し、“０”の場合には、白色ＬＥＤ１００Ｂを点灯駆動させることを示し、予め任意に設定されたもので、必要に応じてその設定値を変更可能であるが、そのデフォルト値としては“１”が設定されている。
【００６４】
このようにして使用光源を点灯駆動した後、フロントイメージキャプチャ部１０にて小切手の表面イメージが読み取られると(ステップＢ７０２)、ＣＰＵ２１は、この表面イメージを取得してその中から一連番号の印字領域を特定すると共に、この特定領域内のイメージデータを切り出し(ステップＢ７０３)、一連番号の文字認識を行う(ステップＢ７０４)。この場合、上述したように小切手の「振出地」の項目と「ＭＩＣＲ文字印字欄」との間の領域が一連番号の印字領域として予め決められているので、当該領域内のイメージデータを切り出して文字認識を行い、この認識結果(一連番号)に基づいて証券明細管理トランザクションファイル４４を検索して(ステップＢ７０５)、該当する「金額」項目データを読み出す(ステップＢ７０６)。
【００６５】
ここで、小切手がＭＩＣＲプリンタ部１２の近傍に達したことがセンサ検出されると、ＭＩＣＲプリンタ部１２は、小切手のＭＩＣＲ文字印字欄における所定の空白領域(補助自行欄)に「金額」をＭＩＣＲ文字にて印字する(ステップＢ７０７)。そして、小切手がリヤイメージキャプチャ部１４の近傍に達したことがセンサ検出されると、このイメージキャプチャ部１４は、小切手の表裏両面の全体イメージを読み取る(ステップＢ７０８)。すると、ＣＰＵ２１は、小切手の表面イメージおよび裏面イメージを取得すると共に、当該一連番号に対応付けて表面イメージおよび裏面イメージをイメージデータ格納専用ファイル４５にセットする(ステップＢ７０９)。次ぎに、小切手が分類別ポケット付きスタッカ部３の近傍に達したことがセンサ検出されると、この小切手は対応する分類別ポケットに投入格納される(ステップＢ７１０)。
【００６６】
このようにして「事前読込処理」、「要件入力処理」、「要件印字処理」を順次実行した後に、通常の「入庫処理」、「出庫処理」が行われるが、この場合、証券明細管理トランザクションファイル４４、イメージデータ格納専用ファイル４５には、現物の証券に印字されている「一連番号」に対応付けて明細レコード、証券イメージが格納されているので、この「一連番号」をキーとして所望する明細レコード、証券イメージを自由に読み出して表示出力させることができ、後の確認作業、問い合わせ作業において、小切手を手形と同様に取り扱うことができる。
【００６７】
以上のように、この実施例の証券処理装置においては、手形と小切手とが混在して収納されているホッパー部２から証券が取り出された際に、証券の形状特性に応じて当該証券は手形か小切手かを判別し、手形であれば、一連番号を生成すると共に、ＭＩＣＲプリンタ部１２を使用して手形のＭＩＣＲ文字印字欄の空白部分に一連番号をＭＩＣＲ文字にて印字するほかに、この一連番号を証券情報検索用のキー情報として当該手形の証券情報に対応付けて記憶管理し、小切手であれば、一連番号を生成すると共に、券面プリンタ部１３を使用して小切手のＭＩＣＲ文字印字欄以外の券面空白部分に一連番号を印字するほかに、この一連番号を証券情報検索用のキー情報として当該小切手の証券情報に対応付けて記憶管理するようにしたから、手形と小切手とが混在してホッパー部２に収められている状態でも、金融機関側に特別な作業を強要することなく、小切手自体にも一連番号を印字することができると共に、この一連番号をキーとして小切手に関する証券情報を管理することができ、手形と小切手とを同様に取り扱うことが可能となる。
【００６８】
したがって、手形の期日管理のほか、先日付付き小切手に対しても同様な期日管理が可能となり、従来のように、キャリアエンベロープと呼ばれる半透明袋が設けられた台紙に先日付小切手を収めて処理したり、先日付小切手の一端部に用紙を貼り付けて処理する必要もなく、また、証券を出庫するときに小切手をキャリアエンベロープから抜き取ったり、継ぎ足した用紙を剥がし取る作業も不要となるなど、処理全体を効率良く行うことが可能となる。また、「一連番号」は、証券、手形に共通するものであるため、手形と小切手に分けず、同じ証券として取り扱うことができ、手形と小切手との一元管理が可能となる。
【００６９】
ホッパー部２から取り出された証券が搬送される過程において、ＣＰＵ２１は、証券長さ検出部８によって証券の到来を検出してから証券の通過を検出するまでの時間を計時すると共に、証券の到来を検出してから証券の通過を検出するまでの間に証券搬送用の駆動モータに印加された駆動パルス数を計数し、この計測時間が予め決められている制限時間に達していないことを条件に、モータ駆動パルスの計数値を証券の長さとして特定し、この証券の長さに基づいて手形か小切手かを判別するようにしたから、証券の到来を検出してから証券の通過を検出するまでの時間がその制限時間内であることを条件に、つまり、紙詰まり、用紙のスリップなどのトラブルが発生していないことを条件に、証券搬送用の駆動モータに印加された駆動パルス数を証券の長さとして特定することができ、手形か小切手かの判別を確実に行うことが可能となる。
【００７０】
ＣＰＵ２１は、証券が手形であることを判別した場合に、一連番号をＭＩＣＲ文字印字欄の空白部分に印字させるほかに、この手形の全体イメージを当該一連番号に対応付けて記憶管理し、小切手であれば、一連番号をＭＩＣＲ文字印字欄以外の券面空白部分に印字させるほかに、この小切手の全体イメージを当該一連番号に対応付けて記憶管理するようにしたから、手形、小切手のイメージと一連番号とを対応付けて記憶管理することができ、一連番号を検索キーとして指定するだけでその証券イメージを自由に取得することが可能となる。
【００７１】
この場合、証券が手形であれば、一連番号をＭＩＣＲ文字印字欄の空白部分に印字するほかに、このＭＩＣＲ情報を当該一連番号に対応付けて記憶管理し、小切手であれば、一連番号をＭＩＣＲ文字印字欄以外の券面空白部分に印字するほかに、このＭＩＣＲ情報を当該一連番号に対応付けて記憶管理するようにしたから、一連番号を検索キーとして指定するだけで証券イメージと共にそのＭＩＣＲ情報も自由に取得することが可能となる。
【００７２】
証券に記入されている金額、支払期日の各要件のうち、少なくとも、金額データが入力された際に、ＣＰＵ２１は、この入力要件データを一連番号に対応付けて記憶管理するようにしたから、たとえば、先日付小切手において、その券面の任意の個所に支払期日が記入されている場合、この小切手イメージが一連番号に対応付けて記憶管理されているので、一連番号を指定するだけで対応する小切手イメージを呼び出すことができる。
【００７３】
この場合、証券のＭＩＣＲ文字印字欄に記録されているデータ以外の要件データを証券の券面に印字する際に、その証券が手形であれば、ＭＩＣＲ文字印字欄から一連番号を光学的に読み取って認識すると共に、この一連番号に対応付けて記憶管理されている入力要件データを読み出し、この入力要件データをＭＩＣＲ文字印字欄の空白部分にＭＩＣＲ文字にて印字し、小切手であれば、小切手の券面に印字されている一連番号を光学的に読み取って認識すると共に、この一連番号に対応付けて記憶管理されている入力要件としての金額データを読み出し、この金額データをＭＩＣＲ文字印字欄の空白部分にＭＩＣＲ文字(磁気文字)にて印字するようにしたから、証券イメージ内から視読した金額、支払期日などを要件データとして入力することによって、一連番号と要件データとを対応付けて記憶管理することができ、手形の期日管理のほか、先日付小切手に対しても同様な期日管理が可能となる。
【００７４】
フロントイメージキャプチャ部１０において、小切手の券面に印字されている一連番号を読み取る際に、ＣＰＵ２１は、予め設定されている使用光源設定データ４３に基づいて白色ＬＥＤ１００Ｂを点灯駆動させるか、赤外線ＬＥＤ１００Ｃを点灯駆動させるかの切り換えを制御するようにしたから、必要に応じて光源を任意に切り換えることができると共に、券面全体に施されている地紋の印刷色などの影響を赤外線ＬＥＤによって極力抑えることができ、一連番号を良好に読み取ることが可能となる。
【００７５】
また、予め小切手の券面に一連番号を印字させるか否かが任意に設定されていると共に、一連番号の印字領域を示す座標値が任意に設定されている小切手番号印字位置設定データ４２を参照し、一連番号を印字すべきことが設定されている場合には、一連番号の印字領域を示す座標値を読み出し、この座標値で示される印字領域内に一連番号を印字するようにしたから、小切手の券面に一連番号を印字させるか否かを任意に選択可能であると共に、一連番号の印字領域も任意に変更可能となり、必要に応じた対応によって自由度を増すことが可能となる。
【００７６】
なお、上述した実施例においては、証券長さ検出部８によって証券の到来を検出してから証券の通過を検出するまでの時間を計時すると共に、証券の到来を検出してから証券の通過を検出するまでの間に証券搬送用の駆動モータに印加された駆動パルス数を計数し、この計測時間が制限時間に達していないことを条件に、パルス計数値を証券の長さとして特定し、この証券の長さに基づいて手形か小切手かを判別するようにしたが、ホッパー部２から取り出された証券が搬送される過程において、たとえば、フロントイメージキャプチャ部１０によって証券の形状イメージが読み取られると、ＣＰＵ２１は、この証券イメージの全体形状あるいはその一部分の形状を解析することによって当該証券の形状特性を特定し、この特定形状に基づいて手形か小切手かを判別するようにしてもよい。この場合、イメージ全体の形状を解析する際に、証券の縦の長さ、横の長さ、縦横比などを総合的に考慮するようにすれば、手形か小切手かをより正確に判別することが可能となる。
【００７７】
また、上述した実施例においては、証券の形状特性を検出し、この形状特性に応じて手形か小切手かを判別するようにしたが、手形内の特徴的なデータ、小切手内の特徴的なデータを読み取って解析し、データ特性に応じて手形か小切手かを判別するようにしてもよい。この場合、一般に手形内には、たとえば、「支払期日」、「支払地」、「支払場所」のデータが存在するが、小切手内にはこれらのデータは存在しないために、証券イメージの中から「支払期日」、「支払地」、「支払場所」に対応する領域内のデータを切り出して文字認識を行い、この認識結果に基づいて当該データの有無をチェックすることによって手形か小切手かを判別するようにしてもよい。同様に、手形内のデータ印字位置、小切手内のデータ印字位置に基づいて手形か小切手かを判別したり、手形フォーマット、小切手フォーマットに基づいて手形か小切手かを判別するようにしてもよい。
【００７８】
上述した実施例においては、小切手に「一連番号」を印字する位置として、ＭＩＣＲ文字(磁気文字)印字欄と券面との境界付近における左端部分に印字するようにしたが、たとえば、金額欄の右側近傍に印字するようにしてもよい。つまり、小切手の券面空白部分であればよく、一連番号の印字位置は任意である。
また、上述した実施例においては、小切手の券面から一連番号を読み取るフロントイメージキャプチャ部１０は、小切手の表面全体のイメージを読み取るようにしたが、一連番号の印字領域のみを部分的に読み取るようにしてもよい。この場合、ＣＰＵ２１は、小切手番号印字位置設定データ４２を参照することによって一連番号の印字領域を示す座標値を読み出し、この座標値に基づいて一連番号の印字領域を特定すると共に、この特定領域のみを部分的に読み取らせるために、フロントイメージキャプチャ部１０の読み取り範囲を制御すればよい。
【００７９】
上述した実施例においては、「一連番号」を横方向(長手方向)に印字する場合を示したが、これに限らず、たとえば、「一連番号」を縦方向に印字するようにしてもよく、印字形態も任意である。さらに、小切手に「一連番号」を印字する場合に、黒色印字に限らず、蛍光性を持った特殊インクで印字したり、青色、緑色などのカラーで印字するようにしてもよい。このように特殊インクで印字したり、カラー印字することによって、小切手内の一連番号を強調することができ、一連番号を容易に確認することが可能となる。また、証券識別情報は、一連番号に限らず、記号付きあるいはアルファベット付きの番号などであってもよい。
【００８０】
上述した実施例においては、フロントイメージキャプチャ部１０に複数個の白色ＬＥＤ１００Ｂ、赤外線ＬＥＤ１００Ｃを直線的に配列して光源の切り換えを制御可能としたが、フロントイメージキャプチャ部１０に限らず、たとえば、リヤイメージキャプチャ部１４にも、フロントイメージキャプチャ部１０と同様、複数の白色ＬＥＤ、赤外線ＬＥＤを直線的に配列し、証券が手形か小切手かなどに応じて光源の切り換えを制御するようにしてもよい。
【００８１】
また、上述した実施例においては、特別に言及しなかったが、証券搬送路内に存在する証券の数は、１枚に限らず、証券搬送路内に７〜８枚の証券が存在するように、その搬送速度、処理速度などを制御するようにしてもよい。この場合、各証券毎にその現在位置を追跡管理しながら各デバイスユニットの設置位置と各証券の現在位置との対応関係を確認しながら各デバイスユニット毎に証券種に応じた処理を実行させればよい。
【００８２】
その他、ホッパー部２から証券を自動給紙する場合に限らず、証券を手作業で給紙するようにしてもよく、また、ＭＩＣＲプリンタ部１２、券面プリンタ部１３は、インクリボン式のプリンタに限らず、たとえば、トナー式のプリンタであってもよい。
また、証券処理装置は、スタンドアロンタイプに限らず、その各構成要素が２以上の筐体に物理的に分離され、通信回線、ケーブル等の有線伝送路あるいは電波、マイクロウエーブ、赤外線等の無線伝送路を介してデータを送受信する分散型のシステムを構成するものであってもよい。
【００８３】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、手形と小切手とが混在して収納されている証券収納部から証券が取り出された際に、その証券の特性に応じて当該証券は手形か小切手かを判別する機能と、手形であることが判別された場合に、証券識別情報を生成すると共に、ＭＩＣＲプリンタを使用して手形のＭＩＣＲ文字印字欄の空白部分に証券識別情報をＭＩＣＲ文字にて印字するほかに、この証券識別情報を証券情報検索用のキー情報として当該手形の証券情報に対応付けて記憶管理する機能と、小切手であることが判別された場合に、証券識別情報を生成すると共に、券面印字用の通常プリンタを使用して小切手のＭＩＣＲ文字印字欄以外の券面空白部分に証券識別情報を印字するほかに、この証券識別情報を証券情報検索用のキー情報として当該小切手の証券情報に対応付けて記憶管理する機能とを実現させるためのプログラムを記録したコンピュータが読み取り可能な記録媒体を提供するようにしてもよい。
【図面の簡単な説明】
【００８４】
【図１】証券処理装置全体を示した外観斜視図。
【図２】ホッパー部２とスタッカ部３とを接続する証券搬送路４に沿ってその近傍にそれぞれ配置されている各種のデバイスユニットを説明するための概略図。
【図３】証券長さ検出部８の付近において、証券搬送路４の構成を詳述に示すと共に証券長さ検出部８の配置状態を示し、 (Ａ)は、証券搬送路４の概略側面図、(Ｂ)は、その概略上面図。
【図４】フロントイメージキャプチャ部１０の構成を示したもので、(Ａ)は、フロントイメージキャプチャ部１０の概略側面図、(Ｂ)は、その概略上面図。
【図５】フロントイメージキャプチャ部１０において、複数の白色ＬＥＤ１００Ｂ、赤外線ＬＥＤ１００Ｃが直線的に配列されて成るＣＩＳ本体１０Ａの構成を示した図。
【図６】小切手の券面所定位置に「一連番号」が印字された状態における小切手の印字例を示した図。
【図７】証券処理装置の基本的な構成要素を示したブロック図。
【図８】事前読込処理の開始指示に応答して実行される事前読込処理の全体概要を示したフローチャート。
【図９】図８の証券種別判別処理(ステップＡ５)を詳述するためのフローチャート。
【図１０】図８の手形事前読込処理 (ステップＡ６)を詳述するためのフローチャート。
【図１１】図８の小切手事前読込処理 (ステップＡ７)を詳述するためのフローチャート。
【図１２】要件印字処理の開始指示に応答して実行される要件印字処理の全体概要を示したフローチャート。
【図１３】図１２の手形要件印字処理(ステップＢ６)を詳述するためのフローチャート。
【図１４】図１２の小切手要件印字処理 (ステップＢ７)を詳述するためのフローチャート。
【図１５】一連番号管理データ４１、小切手番号印字位置設定データ４２、使用光源設定データ４３を説明するための図。
【図１６】証券明細管理トランザクションファイル４４における１レコード分のデータ説明するための図。
【図１７】イメージデータ格納専用ファイル４５の内容を説明するための図。
【図１８】従来例において、受入手形(約束手形)のフォーマット例を示した図。
【図１９】従来例の手形印字に関する説明図であり、手形のＭＩＣＲ文字印字欄Ｘに一連番号をＭＩＣＲ印字した例を示した図。
【図２０】従来例の手形印字に関する説明図であり、手形のＭＩＣＲ文字印字欄Ｘに要件データとして「支払期日」、「金額」を印字した例を示した図。
【図２１】従来例の小切手印字に関する説明図であり、小切手をキャリアエンベロープに格納した状態において、この台紙の左下部分に「一連番号」を印字した例を示した図。
【図２２】従来例の小切手印字に関する説明図であり、小切手の一端部に用紙を貼り付けて継ぎ足した状態において、この用紙の左下部分に「一連番号」を印字した例を示した図。
【符号の説明】
【００８５】
１  装置本体
２  ホッパー部
３  分類別ポケット付きスタッカ部
４  証券搬送路
５  表示装置
６  キーボード
７  給紙ローラ群
８  証券長さ検出部
９  搬送ローラ群
１０  フロントイメージキャプチャ部
１１  ＭＩＣＲリーダ部
１２  ＭＩＣＲプリンタ部
１３  券面プリンタ部
１４  リヤイメージキャプチャ部
２１  ＣＰＵ
２２  記憶部
３３  メイン制御部
３４  搬送制御部
４１  一連番号管理データ
４２  小切手番号印字位置設定データ
４３  使用光源設定データ
４４  証券明細管理トランザクションファイル
４５  イメージデータ格納専用ファイル
１００Ｂ  白色ＬＥＤ、
１００Ｃ  赤外線ＬＥＤ
【図１】
2006031298.tif 000003
【図２】
2006031298.tif 000004
【図３】
2006031298.tif 000005
【図４】
2006031298.tif 000006
【図５】
2006031298.tif 000007
【図６】
2006031298.tif 000008
【図７】
2006031298.tif 000009
【図８】
2006031298.tif 000010
【図９】
2006031298.tif 000011
【図１０】
2006031298.tif 000012
【図１１】
2006031298.tif 000013
【図１２】
2006031298.tif 000014
【図１３】
2006031298.tif 000015
【図１４】
2006031298.tif 000016
【図１５】
2006031298.tif 000017
【図１６】
2006031298.tif 000018
【図１７】
2006031298.tif 000019
【図１８】
2006031298.tif 000020
【図１９】
2006031298.tif 000021
【図２０】
2006031298.tif 000022
【図２１】
2006031298.tif 000023
【図２２】
2006031298.tif 000024